(57)【要約】【課題】機械の回転部の信号を復号するためのシステム（５４）を提供すること。【解決手段】システム（５４）は、回転部（５８）から受信された信号に基づいてＮ個の信号を出力するように構成されるセンサ（６０）と、Ｎ個の信号から取得されたサンプリングデータの間の複数個の差から値を導出するように構成されるプロセッサ（６２）とを含む。【選択図】図２
2006313539.tif 000002
【特許請求の範囲】
【請求項１】
機械の回転部（５８）の信号を復号する復号化システム（５４）であって、
前記回転部（５８）から受信された信号に基づいてＮ個の信号を出力するように構成されるセンサ（６０）と、
前記Ｎ個の信号から取得されたサンプリングデータ間の複数個の差から値を導出するように構成されるプロセッサ（６２）とを含むシステム（５４）。
【請求項２】
前記プロセッサ（６２）がさらに、前記複数個の差の合計である値が第１の閾値を超過した場合に出力パルスを生成するように構成されることを特徴とする請求項１記載のシステム（５４）。
【請求項３】
前記プロセッサ（６２）がさらに、前記値が第１の閾値を超過した場合に出力パルスを生成し、前記差と前記第１の閾値とに基づいた第２の閾値を計算するように構成されることを特徴とする請求項１記載のシステム（５４）。
【請求項４】
前記プロセッサ（６２）がさらに、前記値が定数に等しい前記第１の閾値を超過した場合に出力パルスを生成するように構成されることを特徴とする請求項１記載のシステム（５４）。
【請求項５】
前記Ｎ個の信号を所定数の信号に変換するように構成される位相同期ループ発振器（１１０）をさらに含むことを特徴とする請求項１記載のシステム（５４）。
【請求項６】
前記Ｎ個の信号を所定数の信号に変換するように構成される位相同期ループ発振器（１１０）をさらに含み、前記プロセッサ（６２）が、前記Ｎ個の信号をサンプリングするように構成され、前記プロセッサ（６２）が、前記所定数の信号によって刻時されるように構成されることを特徴とする請求項１記載のシステム（５４）。
【請求項７】
前記プロセッサ（６２）がさらに、前記Ｎ個の各信号のほほ半分をサンプリングするように構成されることを特徴とする請求項１記載のシステム（５４）。
【請求項８】
同期検出信号を前記プロセッサ（６２）に出力するように構成される位相同期ループ発振器（１１０）をさらに含み、前記プロセッサ（６２）がさらに、前記値が第１の閾値を超過した場合に出力パルスを生成するように構成され、前記プロセッサ（６２）は、前記位相同期ループ発振器（１１０）から前記同期検出信号を受信したときに、前記出力パルスを出力するために付勢されることを特徴とする請求項１記載のシステム（５４）。
【請求項９】
前記プロセッサ（６２）がさらに、前記値が第１の閾値を超過した場合に出力パルスを生成するように構成されることを特徴とする請求項１記載のシステム（５４）。
【請求項１０】
前記プロセッサ（６２）がさらに、前記値が第１の閾値を超過した場合に出力パルスを生成するように構成され、前記プロセッサ（６２）が、所定数の信号が前記センサ（６０）から受信された後、前記第１の閾値からある量を減算するように構成されることを特徴とする請求項１記載のシステム（５４）。
【発明の詳細な説明】
【技術分野】
【０００１】
本発明は一般に、回転機械に関し、より詳細には、回転機械からの信号を処理するためのシステムおよび方法に関する。
【背景技術】
【０００２】
タービンエンジンは、ファンを始めとする様々な部品を含む。タービンエンジンは、ファンの異常のためバランスを損なう。タービンエンジンがバランスを損ねるために、タービンエンジンの効率が低下する。
【０００３】
タービンエンジンから受信される広歯（ｗｉｄｅ  ｔｏｏｔｈ）、低歯（ｌｏｗ  ｔｏｏｔｈ）、および高歯（ｈｉｇｈ  ｔｏｏｔｈ）信号を復号するために、別々の従来システムが使用される。例えば、第１のシステムは、高歯信号を復号するために使用され、第２のシステムは、低歯信号を復号するために使用され、第３のシステムは、広歯信号を復号するために使用される。タービンエンジンから受信される広歯、低歯、および高歯信号は、ファンの異常を修正するために復号される。第１のシステムでは、高歯信号が、当該信号と第１の調整閾値との比較に基づいて復号される。第２のシステムでは、低歯信号が、当該信号と第２の調整閾値との比較に基づいて復号される。第３のシステムでは、広歯信号が、当該信号と第３の調整閾値との比較に基づいて復号される。第１、第２、および第３の閾値は各々、手動で調整されるか、またはエンジンのタイプに基づいた事前設定値である。
【０００４】
第１、第２、および第３のシステムは各々、タービンエンジンから受信される信号が、高歯信号か、低歯信号か、それとも広歯信号かに基づいてカスタマイズされる。例えば、第１のシステムは、高歯信号を復号するためにカスタマイズされ、第２のシステムは、低歯信号を復号するためにカスタマイズされ、第３のシステムは、広歯信号を復号するためにカスタマイズされる。タービンエンジンから受信される信号が、高歯信号か、低歯信号か、それとも広歯信号かに基づいた別々のカスタマイズは、追加のコストと労力を生じさせる。さらに、第１、第２、および第３の調整閾値の調整は、追加の労力とコストを生じさせる。
【特許文献１】米国特許第４，７６１，６０９号公報
【発明の開示】
【課題を解決するための手段】
【０００５】
一態様では、機械の回転部の信号を復号するためのシステムが提供される。システムは、回転部から受信された信号に基づいてＮ個の信号を出力するように構成されるセンサと、Ｎ個の信号から取得されたサンプリングデータの間の複数個の差から値を導出するように構成されるプロセッサとを含む。
【０００６】
別の態様では、システムが提供される。システムは、シャフトと、前記シャフトに取り付けられた回転部と、回転部から受信された信号に基づいてＮ個の信号を出力するように構成されるセンサと、Ｎ個の信号から取得されたサンプリングデータの間の複数個の差から値を導出するように構成されるプロセッサとを含む。
【０００７】
また別の態様では、機械の回転部の信号を復号するための方法が提供される。方法は、回転部によって検知された信号からＮ個の信号を生成するステップと、Ｎ個の信号からサンプリングされたデータの間の差を計算するステップと、差から値を計算するステップとを含む。
【発明を実施するための最良の形態】
【０００８】
図１は、コアガスタービンエンジン１２と、コアエンジン１２の上流に配置されるファン部１４とを含む、長手方向軸１１を有するガスタービンエンジン１０の概略図である。一実施形態では、ギアボックス（図示されず）が、ガスタービンエンジン１０に結合される。コアエンジン１２は、環状コアエンジン吸気孔１８を定める略筒状の外側ケーシング１６を含む。ケーシング１６は、入ってきた空気の圧力を第１の圧力レベルまで上昇させるための低圧昇圧器２０を取り囲んでいる。一実施形態では、エンジン１０は、オハイオ州シンシナティのＧｅｎｅｒａｌ  Ｅｌｅｃｔｒｉｃ（登録商標）  Ａｉｒｃｒａｆｔ  Ｅｎｇｉｎｅｓから入手可能なＣＦＭ５６エンジンである。
【０００９】
高圧多段軸流圧縮器２２は、昇圧器２０から加圧空気を受け取り、その空気の圧力を第２のより高い圧力レベルまでさらに上昇させる。高圧空気は、燃焼器２４に流れ、燃料と混合される。燃料−空気混合物は、加圧空気の温度およびエネルギーレベルを上昇させるために点火される。高エネルギー燃焼生成物は、第１の駆動軸２８を介して圧縮器２２を駆動するため、第１のタービン２６に流れ、その後、第１の駆動軸２８と同軸の第２の駆動軸３２を介して昇圧器２０を駆動するため、第２のタービン３０に流れる。タービン２６および３０の各々を駆動した後、燃焼生成物は、推進用のジェット推力を提供するため、排気ノズル３４を通ってコアエンジン１２を出て行く。
【００１０】
ファン部１４は、第２のタービン３０によって駆動される回転可能軸流ファン回転子３６を含む。環状ファンケーシング３８は、回転子３６を取り囲んでおり、ほぼ放射状に延び、円周上に間隔をあけて配置された複数の支材４４によってコアエンジン１２から支持される。ファン回転子３６は、放射状に延び、円周上に間隔をあけて配置された複数のファンブレード４２を支持する。ファンケーシング３８は、第２のまたはバイパス空気流導管を定めるため、ファン回転子３６の後方にコアエンジン１２の外側部分にかぶさって延びる。ファンケーシング３８の下流に存在し、ファンケーシング３８に接続されるケーシング要素３９は、複数のファン流出口案内翼４０を支持する。ファン部１４を通過する空気は、ファンブレード４２によって下流方向に進まされて、コアエンジン１２によって提供される推力を補う追加的な推進用の推力を提供する。
【００１１】
図２は、以下でより詳しく説明される、信号を復号するために使用され得るシステム５４の例示的な一実施形態の図である。システム５４は、シャフト５６と、シャフト５６に取り付けられた回転部５８と、センサ６０と、プロセッサ６２とを含む。第２の駆動軸３２（図１）は、シャフト５６に相当することができる。ファン部１４（図１）は、回転部５８に相当することができる。一実施形態では、プロセッサ６２は、Ｍｉｃｒｏｃｈｉｐ（登録商標）Ｔｅｃｈｎｏｌｏｇｙ  Ｃｏｒｐｏｒａｔｉｏｎから市販されている１６Ｆ８７７周辺インタフェースコントローラ（ＰＩＣ）マイクロプロセッサを含む。センサ６０は、回転部５８の周りに円周方向に磁界を誘導する電磁装置（図示されず）を含む。センサ６０は、回転部５８内の要素（図示されず）が磁界を変化させたときに、磁界の変化を検出するコイルなどの装置（図示されず）も含む。ファンブレード４２（図１）は、回転部５８内の要素に相当することができる。各回転部要素は、回転部５８の各回転の間に磁気信号を生成する。したがって、回転部５８内のＮ個の要素は、回転部５８の各回転の間にＮ個の磁気信号を生成する。Ｎは正の整数である。センサ６０は、Ｎ個の磁気信号を生成し、Ｎ個の磁気信号からそれぞれＮ個の電気信号を生成する。プロセッサ６２は、Ｎ個の電気信号を受信し、Ｎ個の電気信号を処理する。
【００１２】
図３は、例示的な高歯信号７２のグラフ７０であり、高歯信号は、グラフに示されたＮ個の電気信号のうちの残りの信号の最高最低振幅（以下、「Ｐ−Ｐ振幅」と略す）と比べてより高いＰ−Ｐ振幅を有する。図３は、例示的な低歯信号７６のグラフ７４でもあり、低歯信号は、グラフに示されたＮ個の電気信号のうちの残りの信号のＰ−Ｐ振幅と比べてより低いＰ−Ｐ振幅を有する。図３は、例示的な広歯信号８０のグラフ７８も示し、広歯信号は、グラフに示されたＮ個の電気信号のうちの残りの信号のＰ−Ｐ振幅の持続時間と比べてより長いＰ−Ｐ振幅の持続時間を有する。高歯信号７２、低歯信号７６、および広歯信号８０は各々、Ｎ個の電気信号のうちのいずれか１つの例である。高歯信号７２、低歯信号７６、および広歯信号８０は各々、不揃い歯信号（ｏｄｄ  ｔｏｏｔｈ  ｓｉｇｎａｌ）である。
【００１３】
図４は、信号を復号するための例示的なシステム１００の図であり、図５は、信号を復号するための例示的な方法のフローチャートである。システム１００は、調整可能利得増幅器１０２と、ゼロ交差検出器１０４と、検出器１０６と、組み合わせ論理装置１０８とを含む。検出器１０６は、プロセッサ６２と、位相同期ループ発振器１１０とを含む。位相同期ループ発振器１１０は、位相比較器回路（図示されず）と、電圧制御発振器（ＶＣＯ）（図示されず）と、ｎ分周回路（図示されず）とを含むが、ここで、ｎは２Ｚに等しく、Ｚは整数である。位相同期ループ発振器１１０の一例は、Ｍｏｔｏｒｏｌａ（登録商標）Ｃｏｒｐｏｒａｔｉｏｎから市販されている４０４６位相同期ループ発振器を含む。一代替実施形態では、ゼロ交差検出器１０４は、プロセッサ６２に接続される。さらに別の代替実施形態では、ゼロ交差検出器１０４は、プロセッサ６２と位相同期ループ発振器１１０とに接続される。
【００１４】
調整可能利得増幅器１０２は、センサ６０からＮ個の電気信号を受信し、Ｎ個の電気信号のＰ−Ｐ振幅を比例的に調整して、Ｎ個の調整信号を生成する。利得増幅器１０２は、最高値を有するＰ−Ｐ振幅を一定値に合致させるように、Ｎ個の電気信号のＰ−Ｐ振幅を比例的に調整する。例えば、調整可能利得増幅器１０２は、回転部５８の角速度が増加する前の時点のＮ個の電気信号のＰ−Ｐ振幅に比べてより高い振幅のＮ個の電気信号のＰ−Ｐ振幅を比例的に減衰させる。角速度がその増加をした後のより高いＮ個の電気信号のＰ−Ｐ振幅を、Ｐ−Ｐ振幅中で最高のＰ−Ｐ振幅を一定値に一致させるように比例的に低下させる。調整可能利得増幅器１０２は、Ｎ個の電気信号のうちいずれか１つの信号のＰ−Ｐ振幅の低下がそのＮ個の電気信号のうち残りの信号のＰ−Ｐ振幅の低下に比例するように、Ｎ個の電気信号のＰ−Ｐ振幅を比例的に低下させる。別の例として、調整可能利得増幅器１０２は、回転部５８の角速度の低下前にＮ個の電気信号のＰ−Ｐ振幅に比べてより低いＮ個の電気信号のＰ−Ｐ振幅を比例的に増加させる。角速度の低下後により低いＮ個の電気信号のＰ−Ｐ振幅は、Ｐ−Ｐ振幅中で最高のＰ−Ｐ振幅を一定のＰ−Ｐ振幅に一致させるように比例的に増加させられる。調整可能利得増幅器１０２は、Ｎ個の電気信号のうちいずれか１つの信号のＰ−Ｐ振幅の増加がＮ個の電気信号のうち残りの信号のＰ−Ｐ振幅の増加に比例するように、Ｎ個の電気信号のＰ−Ｐ振幅を比例的に増加させる。
【００１５】
ゼロ交差検出器１０４は、調整可能利得増幅器１０２からＮ個の調整信号を受信する。ゼロ交差検出器１０４は、Ｎ個の調整信号から一連の方形パルスを生成する。センサ６０によって生成されるＮ個の電気信号は磁界の変化速度に依存するので、Ｎ個の電気信号の各々は、負値と正値の間を交互に行き来する。Ｎ個の調整信号のうち１つの信号が正の方向にゼロ交差した場合、ゼロ交差検出器１０４の出力は、第１のレベルに設定される。Ｎ個の調整信号のうち１つの信号が負の方向にゼロ交差した場合、ゼロ交差検出器１０４の出力は、第１のレベルとは異なる第２のレベルに設定される。例えば、ゼロ交差検出器１０４の出力は、Ｎ個の調整信号のうち１つの信号が正の方向にゼロ交差したときにハイになる。ゼロ交差検出器１０４の出力は、Ｎ個の調整信号のうち１つの信号が負の方向にゼロ交差したときにローになる。
【００１６】
位相同期ループ発振器（ＰＬＬ）１１０は、一連の方形パルスを受信し、一連の方形パルスから所定数の信号を生成する。Ｎ個の調整パルスが、位相同期ループ発振器１１０の位相比較器回路の１つの入力に供給される。ＶＣＯの出力は、ｎ分周カウンタを介して位相比較器回路の別の入力にフィードバックされる。ｎ分周することによって、Ｎ個の調整パルスのｎ倍の周波数をもつ一連のパルスが出力される。その後、一連のパルスは、回転部５８が３６０°完全に回転する毎に所定数の信号がＮ×２Ｚ個のパルスをもつように、Ｎ分周されるが、ここで「×」は乗算を表す。所定数の信号は、位相同期ループ発振器１１０からリンク１１２を介してプロセッサ６２に出力される。
【００１７】
プロセッサ６２は、調整可能利得増幅器１０２からＮ個の調整信号を受信し、位相同期ループ発振器１１０からリンク１１２を介して所定数の信号も受信する。プロセッサ６２は、所定数の信号と同期するＮ個の調整信号をサンプリングするアナログ−デジタル変換器（図示されず）を含む。プロセッサ６２のアナログ−デジタル変換器は、プロセッサ６２が位相同期ループ発振器１１０から受信される所定数の信号によって刻時される速度でＮ個の調整信号をサンプリングする。一実施形態では、アナログ−デジタル変換器は、Ｎ個の調整信号の各々についてほぼ半波をサンプリングする。一代替実施形態では、アナログ−デジタル変換器は、Ｎ個の調整信号の各々について半波をサンプリングする。
【００１８】
アナログ−デジタル変換器は、ゼロ交差検出器１０４によって生成された一連の方形パルスに基づいて、Ｎ個の調整信号の各々について半波をサンプリングする。一連の方形パルスは、プロセッサ６２によってリンク１１４を介して受信される。アナログ−デジタル変換器は、Ｎ個の調整信号をサンプリングするために付勢され、または代わりに消勢される。アナログ−デジタル変換器は、一連の方形パルスによって付勢され、または代わりに消勢される。一例として、アナログ−デジタル変換器は、第１のレベルと第１のレベルの直後の第２のレベルとの間は付勢され、直後の第２のレベルと直後の第２のレベルの直後に出力される第１のレベルとの間は消勢される。別の例として、アナログ−デジタル変換器は、Ｎ個の調整信号のどの信号でも第１の半波をサンプリングする。また別の例として、アナログ−デジタル変換器は、ゼロ交差検出器１０４によって出力される第１のレベルと直後の第２のレベルとの間は消勢され、直後の第２のレベルと直後の第１のレベルとの間は付勢される。さらに別の例として、アナログ−デジタル変換器は、Ｎ個の調整信号のどの信号でも第２の半波をサンプリングする。別の例として、アナログ−デジタル変換器は、ゼロ交差検出器１０４によって出力される第１のレベルと直後の第２のレベルとの間は付勢され、直後の第２のレベルと直後の第１のレベルとの間は消勢される。別の例では、アナログ−デジタル変換器は、Ｎ個の調整信号のどの信号でも全波をサンプリングする。また別の例では、アナログ−デジタル変換器は、Ｎ個の調整信号のどの信号でもほぼ全波をサンプリングする。
【００１９】
アナログ−デジタル変換器は、サンプリングデータの第１の組を生成するためにＮ個の調整信号のうちの先行信号をサンプリングし（１３０）、サンプリングデータの第２の組を生成するためにＮ個の調整信号のうちの現在信号をサンプリングする（１３０）。一例として、第１の組は、先行信号の半波からサンプリングされた８個のサンプルを含み、第２の組は、現在信号の半波からサンプリングされた８個のサンプルを含む。サンプリングデータの第１および第２の組は各々、ナイキスト基準を満足する複数のサンプルを含む。先行信号は、Ｎ個の調整信号のうちの現在信号より前に現れる。プロセッサ６２は、サンプリングデータの第２の組と第１の組の差を計算する（１３２）。例えば、プロセッサ６２は、第２の組の第１のサンプルと第１の組の第１のサンプルの差、第２の組の第２のサンプルと第１の組の第２のサンプルの差などを、サンプリングデータの第１および第２の組の残りのサンプルの残りの差が得られるまで計算する。
【００２０】
プロセッサ６２は、第２および第１の組のサンプルの間の差の合計を計算する。プロセッサ６２は、合計を第１の閾値と比較して、合計が第１の閾値を超過したかどうかを決定する（１３４）。一実施形態では、合計は絶対値である。第１の閾値の一例は、１などの定数である。その例では、プロセッサ６２が作動させられたとき、プロセッサ６２に結合されたメモリ（図示されず）に保存される第１の閾値の値は１に等しい。メモリの例は、揮発性メモリなどのコンピュータ可読媒体を含む。揮発性メモリの一例は、ランダムアクセスメモリである。合計が第１の閾値を超過した場合、プロセッサ６２は、出力パルスを生成する（１３６）。合計が第１の閾値を超過しなかった場合、プロセッサ６２は、出力パルスを生成しない（１３８）。代替として、合計が第１の閾値を超過した場合、プロセッサ６２は、例えば「１」などの真値を生成し、合計が第１の閾値を超過しなかった場合、プロセッサ６２は、例えば「０」などの偽値を生成する。
【００２１】
プロセッサ６２は、第１の閾値を更新して、第２の閾値を生成する（１４０）。プロセッサ６２は、差と第１の閾値とに基づいた第２の閾値を計算する。一例として、第２の閾値は、差の合計と第１の閾値との加算値に小数値を乗じた値に基づいている。別の例として、第２の閾値は、第１の閾値と差の合計の何分の１かとの加算値に例えば０．７５などの小数値を乗じた値に等しい。また別の例として、第２の閾値は、
０．７５×（（差の合計／４）＋第１の閾値）・・・・・・・・・（１）
に等しいが、ここで「×」は乗算を表す。
【００２２】
第２の閾値は第１の閾値に置き換わり、実行１３０、１３２、１３４、１３６、および１４０の次のサイクルの間、第２の閾値が使用される。例えば、プロセッサ６２が出力パルスを生成する次のサイクルでは、プロセッサ６２は、実行１３４において第２の閾値を利用する。さらに、次のサイクルでは、実行１４０において、プロセッサ６２は、式（１）内で第２の閾値を第３の閾値で置き換え、式（１）内で第１の閾値を第２の閾値で置き換えることによって、第２の閾値から第３の閾値を計算する。実行１３０、１３２、１３４、１３６、および１４０のサイクルを複数回経た後、実行１３０、１３２、１３４、１３６、および１４０のあるサイクルにおける閾値は、そのサイクルにおけるサンプリングデータの第２および第１の組の差の合計の７５パーセントに安定する。プロセッサ６２に供給される電力の喪失後、プロセッサ６２が再び電力の供給を受ける場合、プロセッサ６２は、１３４で第１の閾値を利用し、１４０で第１の閾値から第２の閾値を取得することによって、信号を復号するための方法の実行を開始する。
【００２３】
位相同期ループ発振器１１０は、同期検出信号をプロセッサ６２に出力する。位相同期ループ発振器１１０が第１の同期検出信号をリンク１１６を介してプロセッサ６２に出力すると、プロセッサ６２は付勢されて出力パルスを生成する。位相同期ループ発振器１１０が第２の同期検出信号をリンク１１６を介してプロセッサ６２に出力すると、プロセッサ６２は消勢され出力パルスを生成することができない。
【００２４】
所定数の調整信号が調整可能利得増幅器１０２から受信される毎にその後、プロセッサ６２は、第１の閾値または代わりに第２の閾値などの閾値からある量を減算する。調整信号の所定数の一例は２Ｙであり、ここでＹは０より大きな整数である。減算される量の一例は１である。別の例として、６４個の調整信号が調整可能利得増幅器１０２から受信される毎に、プロセッサ６２は、閾値から１を減算する。
【００２５】
検出器１０６は、プロセッサ６２によって出力される２つの連続する出力パルスの間の調整信号の数をカウントするカウンタ（図示されず）を含む。カウンタはカウントを出力する。カウンタは、ゼロ交差検出器１０４から受信される一連の方形パルスに基づいて、調整信号の数をカウントする。調整信号の数は、２つの連続する出力パルスの間の回転部５８の要素の数に等しい。プロセッサ６２は、カウンタからカウントを受信し、出力パルスがカウントを考慮せずに生成される時点に先立つ時点で回転部５８の１つの要素によって出力パルスを生成する。一代替実施形態では、検出器１０６は、カウンタを含まない。
【００２６】
組み合わせ論理装置１０８は、プロセッサ６２から出力パルスを受信する。一連の方形パルスに基づいて、組み合わせ論理装置１０８は、負の方向または代わりに正の方向へのゼロ交差と一致するように、出力パルスを遅延させる。例えば、組み合わせ論理装置１０８は、負の方向または代わりに正の方向へのゼロ交差が受信されるまで出力パルスを所定の持続時間の間保留し、ゼロ交差の時点で出力パルスを出力する時間遅延回路（図示されず）を含む。組み合わせ論理装置１０８は、出力パルスの持続時間も変更する。例えば、組み合わせ論理装置１０８は、出力パルスを受信し、所定の持続時間のパルスを生成するワンショットタイマなどのタイマ（図示されず）を含む。
【００２７】
組み合わせ論理装置１０８は、第１、第２、第３、および第４の位置を有するスイッチ（図示されず）によって制御される。第１の位置は、出力パルスを受信するために、組み合わせ論理装置１０８を付勢する。第２の位置は、高歯信号７２を受信し、手動で制御される閾値レベルを有する複数の検出器からパルスを受信するために、組み合わせ論理装置１０８を付勢する。第３の位置は、低歯信号７６を受信し、手動で制御される閾値レベルを有する複数の検出器からパルスを受信するために、組み合わせ論理装置１０８を付勢する。第４の位置は、広歯信号８０を受信し、手動で制御される閾値レベルを有する複数の検出器からパルスを受信するために、組み合わせ論理装置１０８を付勢する。一代替実施形態では、システム１００は、組み合わせ論理装置１０８を含まない。また別の代替実施形態では、プロセッサ６２は、ＲＳ−２３２ケーブルなどのケーブル１１８を介して、ラップトップ、デスクトップ、またはラップトップおよびデスクトップの両方などのコンピュータに結合される。ケーブル１１８は、コンピュータと通信するために使用される。例えば、信号を復号するための方法は、コンピュータからケーブル１１８を介してプロセッサ６２にアップロードされる。信号を復号するための方法はメモリに保存されることができ、プロセッサ６２または代わりにコンピュータによって実行されることができることに留意されたい。
【００２８】
信号を復号するためのシステムおよび方法の技術的効果は、低歯信号７６を復号するための第２のシステムとは別の、高歯信号７２を復号する第１のシステムを提供する必要なく、不揃い信号を復号することを含む。第１および第２のシステムとは別の、広歯信号８０を復号する第３のシステムを提供する必要もない。具体的には、高歯信号７２は、低歯信号７６を復号するために利用される第２の手動調整閾値とは別の第１の手動調整閾値を利用することによって復号される。第１および第２の手動調整閾値は、広歯信号８０を復号するために利用される第３の手動調整閾値とは異なる。さらに、信号を復号するためのシステムおよび方法の技術的効果は、プロセッサ６２による第１の閾値および第２の閾値の自動更新を含む。ガスタービンエンジン３０は、不揃い歯信号を復号することによってバランスが保たれる。
【００２９】
本発明が様々な具体的な実施形態に関して説明されたが、本発明が特許請求の範囲の主旨および範囲内で修正を施されて実施され得ることは、当業者であれば理解されよう。
【図面の簡単な説明】
【００３０】
【図１】例示的なガスタービンエンジンの概略図である。
【図２】図１に示されたガスタービンエンジンなどの回転機械から受信された信号を復号するために使用される例示的なシステムの図である。
【図３】回転機械によって生成され得る例示的な高歯信号、低歯信号、および広歯信号のグラフである。
【図４】回転機械から受信された信号を復号するために使用され得るシステムの一代替実施形態の図である。
【図５】図２または図４に示されたシステムを使用することによって実行される信号を復号するための方法の例示的な一実施形態のフローチャートである。
【符号の説明】
【００３１】
１０  ガスタービンエンジン
１１  長手方向軸
１２  コアガスタービンエンジン
１４  ファン部
１６  略筒状の外側ケーシング
１８  環状コアエンジン吸気孔
２０  低圧昇圧器
２２  軸流圧縮器
２４  燃焼器
２６  第１のタービン
２８  第１の駆動軸
３０  第２のタービン
３２  第２の駆動軸
３４  排気ノズル
３６  軸流ファン回転子
３８  環状ファンケーシング
３９  ケーシング要素
４０  ファン流出口案内翼
４２  ファンブレード
４４  支材
５４  システム
５６  シャフト
５８  回転部
６０  センサ
６２  プロセッサ
７０  グラフ
７２  高歯信号
７４  グラフ
７６  低歯信号
７８  グラフ
８０  広歯信号
１００  システム
１０２  調整可能利得増幅器
１０４  ゼロ交差検出器
１０６  検出器
１０８  組み合わせ論理装置
１１０  位相同期ループ発振器
１１２  リンク
１１４  リンク
１１６  リンク
１１８  ケーブル
【図１】
2006313539.tif 000003
【図２】
2006313539.tif 000004
【図３】
2006313539.tif 000005
【図４】
2006313539.tif 000006
【図５】
2006313539.tif 000007